(57)【要約】【課題】撮影対象が映画等の著作権保護の対象となる映像であるか否かを判別し、著作権保護の対象となる映像であるときにはその記録を制限することである。【解決手段】データ処理装置は、映像に関する映像ストリームを記録媒体に記録することができる。データ処理装置は、映像に関する映像信号を取得する信号取得部と、映像信号に基づいて、映像のタイプを特定するタイプ特定部であって、映像のタイプは映像の単位時間あたりの表示ピクチャ数に応じて決定される、タイプ特定部と、映像信号に基づいて映像ストリームを生成するストリーム生成部と、映像のタイプに基づいて、映像ストリームの記録を禁止するか、あるいは、映像品質を低下させた映像ストリームの記録を許可するかを決定する制御部と、制御部の決定に基づいて、記録媒体への映像ストリームの記録を制御する記録部とを備えている。【選択図】図１
2005303977.tif 000002
【特許請求の範囲】
【請求項１】
映像に関する映像ストリームを記録媒体に記録するデータ処理装置であって、
前記映像に関する映像信号を取得する信号取得部と、
前記映像信号に基づいて、映像のタイプを特定するタイプ特定部であって、前記映像のタイプは前記映像の単位時間あたりの表示ピクチャ数に応じて決定される、タイプ特定部と、
前記映像信号に基づいて映像ストリームを生成するストリーム生成部と、
前記映像のタイプに基づいて、前記映像ストリームの記録を禁止するか、あるいは、映像品質を低下させた映像ストリームの記録を許可するかを決定する制御部と、
前記制御部の決定に基づいて、前記記録媒体への前記映像ストリームの記録を制御する記録部と
を備えたデータ処理装置。
【請求項２】
前記制御部は、前記映像のタイプが映画であるときに前記映像ストリームの記録を禁止する、請求項１に記載のデータ処理装置。
【請求項３】
前記映像のタイプに基づいて映像品質を選択する調整部をさらに備え、
前記ストリーム生成部は、選択された前記映像品質を有する映像の映像ストリームを生成する、請求項１に記載のデータ処理装置。
【請求項４】
前記映像のタイプが予め規定されているタイプと一致するとき、
前記制御部は、前記映像品質を低下させた映像ストリームの記録を許可し、
前記調整部は、予め設定された映像品質よりも低い映像品質を選択する、請求項３に記載のデータ処理装置。
【請求項５】
前記映像のタイプが予め規定されているタイプと一致しないとき、
前記制御部は、映像品質を維持した映像ストリームの記録を許可し、
前記調整部は、予め設定された映像品質と同じ映像品質を選択する、請求項３に記載のデータ処理装置。
【請求項６】
前記調整部は、解像度に関して前記映像品質を選択する、請求項３に記載のデータ処理装置。
【請求項７】
前記タイプ特定部は、
継続的に前記映像信号を受け取って、前記映像の各ピクチャを構成する第１画像と第２画像とが一致するか否かを検出する検出部と、
検出結果に基づいて、前記映像のタイプを判別する判別部と
を備えた、請求項１に記載のデータ処理装置。
【請求項８】
前記検出部は、
前記第１画像のデータを格納する第１メモリと、
前記第２画像のデータを格納する第２メモリと、
前記第１メモリ内のデータと前記第２メモリ内のデータとを比較して、前記第１画像と前記第２画像との一致／不一致を検出する比較部とを備えている、請求項７に記載のデータ処理装置。
【請求項９】
前記判別部は、検出結果を継続的に受け取り、一致および不一致が出現するパターンに基づいて、前記映像のタイプを特定する、請求項７に記載のデータ処理装置。
【請求項１０】
前記映像が第１解像度および前記第１解像度よりも低い第２解像度のいずれで符号化されたかを示す判別情報を生成して、前記映像ストリームに関連付けて管理する管理情報生成部をさらに備え、
前記記録部は、さらに前記判別情報を前記記録媒体に記録する、請求項６に記載のデータ処理装置。
【請求項１１】
前記管理情報生成部は、関連付けられた１組の前記判別情報および前記映像ストリームからなるコンテンツを複数管理し、
前記コンテンツの各々から判別情報を抽出して、各コンテンツごとのエントリを有するコンテンツ管理ファイルを生成する管理ファイル生成部をさらに備えた、請求項１０に記載のデータ処理装置。
【請求項１２】
映像に関する映像ストリームを記録媒体から読み出して、映像信号を出力するデータ処理装置であって、
前記記録媒体には、前記映像ストリームおよび管理情報が記録されており、前記管理情報は、前記映像が、第１映像品質および前記第１映像品質よりも低い第２映像品質のいずれで符号化されたかを示す判別情報を含んでおり、
前記記録媒体から前記映像ストリームおよび前記管理情報を読み出す読み出し部と、
前記管理情報から前記判別情報を抽出して、前記判別情報に基づいて前記第１映像品質および前記第２映像品質のいずれであるかを示す品質表示データを生成する抽出部と、
前記映像ストリームを復号化して映像信号を生成する復号部と、
前記品質表示データおよび前記映像信号を対応付けて出力する出力部と
を備えたデータ処理装置。
【請求項１３】
前記判別情報は、前記映像のタイプが予め規定されているタイプと一致するとき、前記映像が前記第２映像品質で符号化されたことを示し、一致しないとき、前記映像が前記第１映像品質で符号化されたことを示す、請求項１２に記載のデータ処理装置。
【請求項１４】
前記映像信号に前記品質表示データを重畳する重畳処理部をさらに備え、
前記出力部は、前記品質表示データが重畳された前記映像信号を出力する、請求項１３に記載のデータ処理装置。
【請求項１５】
前記出力部は、前記映像信号を出力する映像信号出力部と、前記品質表示データを表示する表示出力部とを有する、請求項１３に記載のデータ処理装置。
【請求項１６】
前記記録媒体には、１組の前記判別情報および前記映像ストリームの組が関連付けられてコンテンツとして複数格納され、さらに、各判別情報が各コンテンツごとのエントリを有するコンテンツ管理ファイルに格納されており、
前記抽出部は、前記コンテンツ管理ファイルから各判別情報を抽出して、各エントリに対応するコンテンツと前記品質表示データとを対応付けて表示するための一覧データを生成する、請求項１２に記載のデータ処理装置。
【請求項１７】
映像に関する映像ストリームを記録媒体に記録するデータ処理方法であって、
前記映像に関する映像信号を取得するステップと、
前記映像信号に基づいて、映像のタイプを特定するステップであって、前記映像のタイプは前記映像の単位時間あたりの表示ピクチャ数に応じて決定されるステップと、
前記映像信号に基づいて映像ストリームを生成するステップと、
前記映像のタイプに基づいて、前記映像ストリームの記録を禁止するか、あるいは、映像品質を低下させた映像ストリームの記録を許可するかを決定するステップと、
前記決定に基づいて、前記記録媒体への前記映像ストリームの記録を制御するステップと
を包含するデータ処理方法。
【請求項１８】
前記制御するステップは、前記映像のタイプが映画であるときに前記映像ストリームの記録を禁止する、請求項１７に記載のデータ処理方法。
【請求項１９】
前記映像のタイプに基づいて映像品質を選択するステップをさらに包含し、
前記映像ストリームを生成するステップは、選択された前記映像品質を有する映像の映像ストリームを生成する、請求項１７に記載のデータ処理方法。
【請求項２０】
前記映像のタイプが予め規定されているタイプと一致するとき、
前記決定するステップは、前記映像品質を低下させた映像ストリームの記録を許可し、
前記選択するステップは、予め設定された映像品質よりも低い映像品質を選択する、請求項１９に記載のデータ処理方法。
【発明の詳細な説明】
【技術分野】
【０００１】
本発明は、映像、音声等の信号を受け取ってデータストリームを生成し、光ディスク等の記録媒体に書き込むための技術に関する。
【背景技術】
【０００２】
従来、銀塩フィルム等のフィルムに映像を記録し、再生する技術が知られている。例えば映画は、フィルムを利用して撮影され、上映されるフィルム素材の映像（フィルム映像）である。一般の映画は毎秒２４コマのコマ数で撮影されている。
【０００３】
一方、日本国、米国のテレビ放送で採用されているＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式の映像（ＮＴＳＣ映像）は、毎秒約３０フレーム（正確には毎秒２９．９７フレーム）で撮影されている。１フレームの画像は２フィールド（奇数フィールドおよび偶数フィールド）の画像から構成されているため、ＮＴＳＣ映像は毎秒約６０フィールド（正確には毎秒５９．９４フィールド）で撮影され、再生される。
【０００４】
毎秒２４コマで作成されたフィルム映像を、ＮＴＳＣ方式の機器を利用して記録するためには、毎秒２４コマのフィルム映像から毎秒３０フレーム６０フィールドのＮＴＳＣ映像への変換（いわゆるテレシネ変換）を行って、両方の映像の整合性をとる必要がある。
【０００５】
図３１は、２−３プルダウン方式を用いたテレシネ変換の例を示す。２−３プルダウン方式では、フィルム映像の２コマからＮＴＳＣ映像の５フィールド画像が生成される。具体的には、フィルム映像の１コマ目（Ａ）からＮＴＳＣ映像の３フィールド画像が生成され、２コマ目（Ｂ）から２フィールド画像が生成される。同様に、３コマ目（Ｃ）から３フィールド画像が生成され、４コマ目（Ｄ）から２フィールド画像が生成される。この処理を２４コマ目まで繰り返すことにより、６０フィールド画像が得られる。２−３プルダウン方式は、フィルム映像をＮＴＳＣ方式に準拠したテレビ等で再生する際に広く使われている。
【０００６】
ここで、毎秒２４コマのフィルム映像から２−３プルダウン方式で変換されたＮＴＳＣ映像を、メディア（例えばＤＶＤ−ＲＡＭディスク）に記録する処理を考える。例えば特許文献１は、映像信号を効率良く符号化するために、プルダウン検出回路を有する記録再生装置を開示している。
【０００７】
図３２は、従来の記録再生装置３２０の機能ブロックの構成を示す。記録再生装置３２０は、２−３プルダウン方式で変換されたＮＴＳＣ映像の信号（２−３プルダウン信号）を受け取り、プルダウン検出部１１０３において変換時に重複されたフィールドを検出する。制御部１２０１は、検出されたフィールドを冗長なフィールドとして除去するよう、動画ストリーム生成部１１０２に指示する。動画ストリーム生成部１１０２が指示されたフィールドを省いて必要なフィールドのみを符号化する。これによりフィルム映像の動画ストリームが生成される。記録部１２００は、ピックアップ１３０を介して動画ストリームをＤＶＤ−ＲＡＭディスク１３１に書き込む。なお、入力された２−３プルダウン信号には音声信号が別途含まれていてもよい。
【０００８】
なお、記録再生装置３２０において再生処理は以下のように行われる。再生制御部１２０３からの指示に基づいて、再生部１２０２はピックアップ１３０を介してＤＶＤ−ＲＡＭディスク１３１から動画ストリームを読み出す。動画ストリーム復号部１１１１は、読み出されたフィルム映像の動画ストリームを復号化するとともに、ＮＴＳＣ映像として出力するために、２−３プルダウン方式の変換処理を行い、ＮＴＳＣ映像の映像信号を映像信号出力部１１１０から出力する。動画ストリームに音声データが含まれているときには、動画ストリーム復号部１１１１は音声データも復号化して音声信号を音声信号出力部１１１２から出力する。
【０００９】
近年、ＤＶ規格やＤＶＤ規格等が制定され、またカメラの性能向上も進んでいる。例えば、ハイビジョン映像の撮影が可能な民生用の高性能ビデオカメラが手頃な価格で製品化されており、高品質な動画を手軽に撮影できるようになっている。また、ＤＶＤレコーダなどディジタル記録媒体を用いた記録再生装置の普及、パーソナルコンピュータ（以下、ＰＣ）、インターネット等の普及により、映画を初めとした様々な動画コンテンツを劣化させることなく頒布可能な環境が整いつつある。
【特許文献１】特開平５−１８３８６４号公報
【発明の開示】
【発明が解決しようとする課題】
【００１０】
機器の普及に伴って、著作権者の了解なしに不法に作成／複製されたコンテンツ（いわゆる「海賊版」のコンテンツ）が出回っており、著作権者の権利が脅かされている。例えば、映画館などで上映中の映画をビデオカメラで撮影したコンテンツが出回っている。撮影の対象となった映画には一般には著作権が発生しているため、その著作権を保護するための対策が必要である。特に、ハイビジョン映像の撮影が可能な高性能ビデオカメラを用いて上映中の映画が撮影されると、視聴に十分耐え得る高画質の映画が複製されることになり、早急な対策が必要である。
【００１１】
本発明の目的は、撮影対象が映画等の著作権保護の対象となる映像であるか否かを判別し、著作権保護の対象となる映像であるときにはその記録を制限することである。
【課題を解決するための手段】
【００１２】
本発明による第１のデータ処理装置は、映像に関する映像ストリームを記録媒体に記録することができる。データ処理装置は、前記映像に関する映像信号を取得する信号取得部と、前記映像信号に基づいて、映像のタイプを特定するタイプ特定部であって、前記映像のタイプは、前記映像の単位時間あたりの表示ピクチャ数に応じて決定される、タイプ特定部と、前記映像信号に基づいて映像ストリームを生成するストリーム生成部と、前記映像のタイプに基づいて、前記映像ストリームの記録を禁止するか、あるいは、映像品質を低下させた映像ストリームの記録を許可するかを決定する制御部と、前記制御部の決定に基づいて、前記記録媒体への前記映像ストリームの記録を制御する記録部とを備えている。
【００１３】
前記制御部は、前記映像のタイプが映画であるときに前記映像ストリームの記録を禁止してもよい。
【００１４】
前記データ処理装置は、前記映像のタイプに基づいて映像品質を選択する調整部をさらに備えている。前記ストリーム生成部は、選択された前記映像品質を有する映像の映像ストリームを生成してもよい。
【００１５】
前記映像のタイプが予め規定されているタイプと一致するとき、前記制御部は、前記映像品質を低下させた映像ストリームの記録を許可し、前記調整部は、予め設定された映像品質よりも低い映像品質を選択してもよい。
【００１６】
前記映像のタイプが予め規定されているタイプと一致しないとき、前記制御部は、映像品質を維持した映像ストリームの記録を許可し、前記調整部は、予め設定された映像品質と同じ映像品質を選択してもよい。
【００１７】
前記調整部は、解像度に関して前記映像品質を選択してもよい。
【００１８】
前記タイプ特定部は、継続的に前記映像信号を受け取って、前記映像の各ピクチャを構成する第１画像と第２画像とが一致するか否かを検出する検出部と、検出結果に基づいて、前記映像のタイプを判別する判別部とを備えていてもよい。
【００１９】
前記検出部は、前記第１画像のデータを格納する第１メモリと、前記第２画像のデータを格納する第２メモリと、前記第１メモリ内のデータと前記第２メモリ内のデータとを比較して、前記第１画像と前記第２画像との一致／不一致を検出する比較部とを備えていてもよい。
【００２０】
前記判別部は、検出結果を継続的に受け取り、一致および不一致が出現するパターンに基づいて、前記映像のタイプを特定してもよい。
【００２１】
前記データ処理装置は、前記映像が第１解像度および前記第１解像度よりも低い第２解像度のいずれで符号化されたかを示す判別情報を生成して、前記映像ストリームに関連付けて管理する管理情報生成部をさらに備えている。前記記録部は、さらに前記判別情報を前記記録媒体に記録してもよい。
【００２２】
前記管理情報生成部は、関連付けられた１組の前記判別情報および前記映像ストリームからなるコンテンツを複数管理し、前記データ処理装置は、前記コンテンツの各々から判別情報を抽出して、各コンテンツごとのエントリを有するコンテンツ管理ファイルを生成する管理ファイル生成部をさらに備えていてもよい。
【００２３】
本発明による第２のデータ処理装置は、映像に関する映像ストリームを記録媒体から読み出して、映像信号を出力することができる。前記記録媒体には、前記映像ストリームおよび管理情報が記録されている。前記管理情報は、前記映像が、第１映像品質および前記第１映像品質よりも低い第２映像品質のいずれで符号化されたかを示す判別情報を含んでいる。データ処理装置は、前記記録媒体から前記映像ストリームおよび前記管理情報を読み出す読み出し部と、前記管理情報から前記判別情報を抽出して、前記判別情報に基づいて前記第１映像品質および前記第２映像品質のいずれであるかを示す品質表示データを生成する抽出部と、前記映像ストリームを復号化して映像信号を生成する復号部と、前記品質表示データおよび前記映像信号を対応付けて出力する出力部とを備えている。
【００２４】
前記判別情報は、前記映像のタイプが予め規定されているタイプと一致するとき、前記映像が前記第２映像品質で符号化されたことを示し、一致しないとき、前記映像が前記第１映像品質で符号化されたことを示してもよい。
【００２５】
前記データ処理装置は、前記映像信号に前記品質表示データを重畳する重畳処理部をさらに備えており、前記出力部は、前記品質表示データが重畳された前記映像信号を出力してもよい。
【００２６】
前記出力部は、前記映像信号を出力する映像信号出力部と、前記品質表示データを表示する表示出力部とを有していてもよい。
【００２７】
前記記録媒体には、１組の前記判別情報および前記映像ストリームの組が関連付けられてコンテンツとして複数格納され、さらに、各判別情報が各コンテンツごとのエントリを有するコンテンツ管理ファイルに格納されており、前記抽出部は、前記コンテンツ管理ファイルから各判別情報を抽出して、各エントリに対応するコンテンツと前記品質表示データとを対応付けて表示するための一覧データを生成してもよい。
【００２８】
本発明によるデータ処理方法は、映像に関する映像ストリームを記録媒体に記録することができる。データ処理方法は、前記映像に関する映像信号を取得するステップと、前記映像信号に基づいて、映像のタイプを特定するステップであって、前記映像のタイプは前記映像の単位時間あたりの表示ピクチャ数に応じて決定されるステップと、前記映像信号に基づいて映像ストリームを生成するステップと、前記映像のタイプに基づいて、前記映像ストリームの記録を禁止するか、あるいは、映像品質を低下させた映像ストリームの記録を許可するかを決定するステップと、前記決定に基づいて、前記記録媒体への前記映像ストリームの記録を制御するステップとを包含する。
【００２９】
前記制御するステップは、前記映像のタイプが映画であるときに前記映像ストリームの記録を禁止してもよい。
【００３０】
前記データ処理方法は、前記映像のタイプに基づいて映像品質を選択するステップをさらに包含し、前記映像ストリームを生成するステップは、選択された前記映像品質を有する映像の映像ストリームを生成してもよい。
【００３１】
前記映像のタイプが予め規定されているタイプと一致するとき、前記決定するステップは、前記映像品質を低下させた映像ストリームの記録を許可し、前記選択するステップは、予め設定された映像品質よりも低い映像品質を選択してもよい。
【発明の効果】
【００３２】
本発明によれば、単位時間あたりの表示ピクチャ数に応じて決定される映像のタイプを検出し、撮影の対象が著作物である映画等であると判断すると、記録の禁止または符号化時の解像度を低下させて記録することにより、当初設定されていた解像度での記録を禁止する。これにより、著作物の品位を低下させて忠実な再生を妨げることができるのでコンテンツの著作権の侵害を防止し、コンテンツを保護に貢献できる。
【発明を実施するための最良の形態】
【００３３】
以下、添付の図面を参照しながら、本発明によるデータ処理装置の各実施形態を説明する。以下の実施形態では、データ処理装置はビデオカメラであるとして説明する。
【００３４】
本明細書では、以下のように定義される用語を用いて説明する。
【００３５】
映像：複数のピクチャを所定の垂直走査周波数で次々と切り替えることによって表示される画像。映像は、動画、静止画、字幕などの文字や図形等を含む。例えば、単位時間（１秒間）に３０枚のピクチャを切り替える映像の垂直走査周波数は３０Ｈｚである。
【００３６】
ピクチャ：インターレース方式では奇数ラインと偶数ラインの２つのフィールド画像から構成されるフレーム画像。プログレッシブ方式では１つのフレーム画像。ピクチャは、フレームおよびフィールドの両方を表す概念である。なお、映像の１ピクチャ（特にフィルムに記録された映像の１ピクチャ）は「１コマ」と呼ばれることもある。一般的な映画は、インターレース方式ではなく、また、１秒間に２４ピクチャ（フレーム）が表示される。
【００３７】
ＳＤ（Ｓｔａｎｄａｒｄ  Ｄｅｆｉｎｉｔｉｏｎ）映像：標準画質の映像（ＮＴＳＣ方式の４８０ｉ映像、ＰＡＬ方式の５７６ｉ映像）をいう。
【００３８】
ＨＤ（Ｈｉｇｈ  Ｄｅｆｉｎｉｔｉｏｎ）映像：上記ＳＤ映像以外の高精細の映像（例えばハイビジョン映像）をいう。
【００３９】
以下、表１および表２に、ＳＤ映像とＨＤ映像の動画に関する、より具体的な例を示す。表２における２４ｐまたは２３．９７６ｐのＨＤ映像は、フィルム素材の映像と呼ばれている。
【００４０】
【表１】
2005303977.tif 000003
【００４１】
【表２】
2005303977.tif 000004
【００４２】
（実施形態１）
図１は、本実施形態によるビデオカメラ１の機能ブロックの構成を示す。ビデオカメラ１は、撮影した映像をＨＤ映像またはＳＤ映像として記録媒体（図１ではＤＶＤ−ＲＡＭディスク１３１）に記録することができる。またビデオカメラ１は、記録媒体に記録された映像および音声を、ビデオカメラ１に付属するモニタやスピーカを用いて再生することもできる。
【００４３】
ビデオカメラ１は、カメラ部１００と、マイク１０１と、動画ストリーム生成部１０２と、制御部１０５と、記録部１０６と、映像信号出力部１１０と、音声信号出力部１１１と、動画ストリーム復号部１１２と、再生制御部１１５と、再生部１１６と、映像タイプ特定部１１９と、ピックアップ１３０とを有する。なお、図１に示されているＤＶＤ−ＲＡＭディスク１３１はビデオカメラ１の構成要素ではないが、記録媒体として、ＤＶＤ−ＲＡＭディスク１３１に代えてビデオカメラ１に内蔵されたハードディスク等を採用するときには、そのハードディスクはビデオカメラ１の構成要素になる。
【００４４】
以下、ビデオカメラ１の各構成要素を説明し、その後、ビデオカメラ１の動作を説明する。
【００４５】
まず、ビデオカメラ１の記録機能に関連する構成要素を説明する。
【００４６】
カメラ部１００は、撮影対象からの光を受け取って、例えばＮＴＳＣインターレース方式のデジタル映像信号を生成する。すなわちビデオカメラ１はカメラ部１００を利用してデジタル映像信号を取得する。カメラ部１００は、例えばレンズ等の光学系、ＣＣＤ素子およびアナログ／デジタル（ＡＤ）変換器（図示せず）から構成されている。カメラ部１００が受け取る光は、人物、物品、風景等に当たり反射された光の他、本実施形態ではスクリーンに投射され、スクリーンから反射した光も含まれる。すなわち、ビデオカメラ１ではスクリーンに投影された映画等の映像が撮影対象とされることもある。１秒あたり２４枚のピクチャが切り替わって表示されている一般的な映画を撮影する際には、カメラ部１００は、ＣＣＤ素子を利用してＮＴＳＣのフィールド周波数６０Ｈｚ（または１／６０秒）よりも速く、かつ適切な露出を得られるシャッター速度で撮影し、ＮＴＳＣインターレース方式の映像信号を出力する。この映像信号はアナログ形式である。ＡＤ変換器はこの映像信号をアナログ形式からデジタル形式に変換して出力する。
【００４７】
マイク１０１は、撮影中の音声を受け取ってアナログ形式の音声信号を生成する。マイク１０１のＡＤ変換器（図示せず）はこの音声信号をアナログ形式からデジタル形式に変換して出力する。
【００４８】
動画ストリーム生成部１０２は、デジタル形式の映像信号および音声信号をそれぞれ所定の符号化形式で符号化する。図２は、動画ストリーム生成部１０２の機能ブロックの構成を示す。動画ストリーム生成部１０２は、入力端子１３０１および１３０２において、それぞれ映像信号および音声信号を受け取る。ＭＰＥＧ−Ｖｉｄｅｏ符号化部１３０３は、映像信号からＭＰＥＧ−Ｖｉｄｅｏ形式の符号化映像データを生成する。音声符号化部１３０４は、音声信号から例えばＡＣ−３形式の符号化音声データを生成する。ＭＰＥＧ−Ｖｉｄｅｏ符号化部１３０３および音声符号化部１３０４は、記録形式に応じたデータを生成する。例えば、いずれの符号化部１３０３および１３０４は、符号化映像データおよび符号化音声データを記録形式に応じたデータの単位に分け、ヘッダ等を付加して映像パケットおよび音声パケットとして生成する。映像パケットおよび音声パケットは、それぞれ一時的に多重化バッファ部１３０５および１３０６に記憶される。多重化処理部１３０７は、多重化バッファ部１３０５および１３０６に記憶された映像パケットおよび音声パケットを多重化して、ＭＰＥＧ−２プログラムストリームを生成し、出力端子１３０８から出力する。
【００４９】
なお、動画ストリームには映像データおよび音声データが含まれているとして説明しているが、本明細書では映像データが含まれていればよい。また、ＭＰＥＧ−２プログラムストリームはＭＰＥＧ２システム規格（ＩＳＯ／ＩＥＣ  １３８１８−１）で規定されるシステムストリームの一例である。このシステムストリームには、プログラムストリーム（ＰＳ）の他に、トランスポートストリーム（ＴＳ）およびＰＥＳストリームが規定されている。本発明は動画ストリームがＭＰＥＧ−２トランスポートストリームであっても適用可能である。本実施形態においては、これらのストリームのデータ構造は特に問題ではないため、その説明は省略する。
【００５０】
次に、図３を参照しながら映像タイプ特定部１１９を説明する。図３は、映像タイプ特定部１１９の機能ブロックの構成を示す。映像タイプ特定部１１９はカメラ部１００から映像信号を受け取り、その映像信号に基づいて、映像のタイプを特定する。「映像のタイプ」は、その映像の単位時間（１秒）あたりに表示されるピクチャ数に応じて決定される。本実施形態では、映像のタイプは毎秒２４枚のピクチャが表示される映画、毎秒３０枚のフレーム（６０枚のフィールド）が表示されるテレビ放送等である。
【００５１】
映像タイプ特定部１１９は、検出部１０３および判別部１０４を有する。そして検出部１０３は、第１メモリ１０３１と、第２メモリ１０３２と、比較器１０３３とを備えている。
【００５２】
検出部１０３に入力される映像信号は、第１メモリ１０３１および第２メモリ１０３２に入力され記憶される。２つのメモリ１０３１および１０３２は、それぞれ１ピクチャの画像のデータを記憶できる。例えばメモリ１０３１および１０３２は、１ピクチャが２つのフィールド画像から構成されるときは各フィールド画像のデータを記憶できる。比較器１０３３は、１フィールド画像の表示時間間隔（約１／６０秒）で第１メモリ１０３１の記憶内容と第２メモリ１０３２の記憶内容とを比較し、比較結果を出力する。比較は、第１メモリ１０３１の記憶内容と第２メモリ１０３２の記憶内容との差分を計算することによって行われ、０になるか否か、すなわち一致または不一致かが比較結果として出力される。なお、映像信号にノイズが含まれることがあるため、デジタルフィルタ等を用いてノイズを除去した後に差分を計算してもよい。
【００５３】
なお、プログレッシブ方式の映像では１ピクチャが１フレーム画像に対応しているため、第１メモリ１０３１および第２メモリ１０３２は、フレーム画像ごとのデータを記憶できる。プログレッシブ方式を採用するカメラを利用したときには、プログレッシブ方式の映像が出力され、その信号に基づいてフレーム画像のデータが毎秒６０枚の速度でメモリ１０３１および１０３２に記憶され、比較の対象とされる。
【００５４】
図４は、検出部１０３の各機能ブロックの動作タイミングの例を示す。ＮＴＳＣインターレース方式の映像信号が入力されたときには、メモリ１０３１および１０３２には、そのピクチャを構成する奇数ラインおよび偶数ラインの２つのフィールド画像データがそれぞれ記憶される。メモリ１０３１および１０３２は、「記憶タイミング」と示すように、毎秒フレーム数と同じ周期（毎秒約３０フレーム）で記憶内容を更新する。メモリ１０３１および１０３２は、互いに１フィールド分（約１／６０秒）の位相差（タイミングずれ）を保持して更新動作する。比較器１０３３は、６０Ｈｚのクロックの立ち上がりおよび立ち下がる「比較タイミング」と示す時刻（１／６０秒ごと）において、各メモリのデータを比較する。その結果、次の「比較タイミング」までにその結果を出力する。比較タイミングは、メモリ１０３１および１０３２が記憶内容の更新を完了した後に到来する。図４では、比較器１０３３は、メモリ１０３１および１０３２の各記憶動作の後、「タイミング調整」として示す期間を経て比較を実行する。比較器１０３３は、例えば、比較結果が「一致」のときは「０」を示す値を出力し、「不一致」のときは「１」を示す値を出力する。
【００５５】
図５は、ビデオカメラ１で人物、風景などが撮影されたときのビデオカメラ１内の処理を示す。映像が連続的に撮影された結果、カメラ部１００からはＮＴＳＣインターレース方式のフィールド画像Ａ，Ｂ，Ｃ・・・の映像信号が出力されている。このとき、第１メモリ１０３１は、偶数フィールド画像Ｂ，Ｄ，Ｆ・・・のデータを記憶する。第２メモリ１０３２は、奇数フィールド画像Ａ，Ｃ，Ｅ・・・のデータを記憶する。比較器１０３３は、パルスの立ち上がりおよび立ち下がりのタイミングで比較する。図５に示す例では、第１メモリ１０３１および第２メモリ１０３２は、記憶タイミングが１フィールド画像の時間分ずれており、同時に同じデータを記憶することはないため、比較器１０３３の出力はすべて不一致となる。
【００５６】
図６は、主としてビデオカメラ１でスクリーンに投影された映画が撮影されたときのビデオカメラ１内の処理を示す。映画を構成する各ピクチャ（コマ）の画像Ａ，Ｂ，Ｃ・・・は１／２４秒ごとに更新されるため、カメラ部１００のＣＣＤ素子は１／６０秒間隔でＡ，Ｂ，Ｂ，Ｂ，Ｃ，Ｃ，Ｄ，Ｄ，Ｄ・・・のフィールド画像の映像信号を生成する。その結果、例えば「コマＡ」から「コマＢ」への切り変わり時刻（時刻ｔ１）において第１メモリ１０３１の記憶内容は「コマＢ」のデータに更新される。このとき第２メモリ１０３２にはすでに「コマＡ」のデータが記憶されている。
【００５７】
第１メモリ１０３１の更新動作後、所定時間Ｌ１が経過すると、比較器１０３３が比較動作を行う。このときの記憶内容は、第１メモリは「コマＢ」、第２メモリは「コマＡ」であるため、比較結果は「不一致」となる。この比較結果は次の比較時まで保持される。
【００５８】
時刻ｔ１から約１／６０秒後の時刻ｔ２において、第２メモリ１０３２はコマＢのデータを記憶する。この時点で第１メモリ１０３１および第２メモリ１０３２とも、「コマＢ」のデータを記憶している。よって、時刻ｔ２から時間Ｌ２経過後のパルス立ち下がり時の比較器１０３３の比較結果は「一致」となる。
【００５９】
時刻ｔ２点より約１／６０秒後の時刻ｔ３では、カメラ部１００からはコマＢの映像信号が出力され続けているため、第１メモリ１０３１は「コマＢ」のデータを再度記憶し、第２メモリも「コマＢ」のデータを記憶する。この状態は、時刻ｔ３から時間Ｌ３経過した後の比較動作時も変化していないため、比較結果は「一致」となる。
【００６０】
一方、時刻ｔ１から１／２４秒経過後に、撮影対象は「コマＢ」から「コマＣ」に切り替わる。よって、その後の時刻ｔ４（時刻ｔ３から１／６０秒後）において、第２メモリ１０３２には「コマＣ」のデータが記憶される。時刻ｔ４から時間Ｌ４経過した後の比較動作時においても、第１メモリ１０３１は「コマＢ」のデータが記憶され、第２メモリ１０３２には「コマＣ」のデータが記憶されているため、比較結果は「不一致」となる。
【００６１】
以後、メモリ１０３１および１０３２の記憶内容が順次更新され、比較が行われると、「一致」と「不一致」とが一定順序で周期Ｄで繰り返される比較結果が得られる。
【００６２】
検出部１０３は、以上のような比較を繰り返し、比較結果を出力する。
【００６３】
映像タイプ特定部１１９の判別部１０４は、検出部１０３の比較結果を継続的に受け取り、「一致」と「不一致」とが出現するパターンが特定パターンに一致するか否かを判別する。「特定パターン」とは、撮影対象が毎秒２４ピクチャの映像（すなわち映画）であるときに出現するパターンである。本実施形態では図６の区間Ｄに示す「一致」および「不一致」のパターンが特定パターンである。特定パターンは、現実に映画等を撮影することによって予め得ることが可能であり、例えば判別部１０４の読み出し専用メモリ（図示せず）に格納されている。
【００６４】
判別部１０４は、図５に示すように、検出部１０３の比較結果において不一致が連続している場合には、特定パターンと一致しないとして撮影対象が毎秒２４ピクチャの映像ではないと判別する。一方、比較結果において図６に示すような順序でかつ周期Ｄで一致および不一致が繰り返される場合には、撮影対象が毎秒２４ピクチャの映像、すなわち映画であると判別する。判別部１０４は、１秒あたりの表示ピクチャ数を示す値（例えば「２４」）または映画であるか否かを示すフラグ値を、判別結果として出力する。これにより、撮影対象の映像のタイプを特定することができる。
【００６５】
なお図６では、撮影対象である映像のピクチャＢの切り替わりタイミングとカメラ出力の切り替わりタイミングとが一致しているが、これは説明の便宜のためである。それらのタイミングがずれているときであっても、上述の説明は同様に適用される。
【００６６】
再び図１を参照する。制御部１０５は、判別部１０４からの出力に基づいて、動画ストリームの記録を許可するか禁止するかを決定し、記録部１０６に指示する。具体的には、判別部１０４から出力された判別結果が映画であることを示しているときは、制御部１０５は、撮影対象は映画であると判断して動画ストリームの記録を禁止する。それ以外のときには、動画ストリームの記録を許可する。動画ストリームの記録を禁止する理由は、一般に映画には保護すべき著作権が発生しており、映画の複製に相当する動画ストリームの記録を禁止してその著作権を保護するためである。
【００６７】
記録部１０６は、制御部１０５の決定に基づいて、ＤＶＤ−ＲＡＭディスク１３１への動画ストリームの記録を制御する。具体的には記録部１０６は、制御部１０５によって動画ストリームの記録が禁止されたときには、動画ストリームの記録を行わない。禁止されていないときには、記録部１０６は、ピックアップ１３０を介してファイルをＤＶＤ−ＲＡＭディスク１３１に書き込む。書き込まれた動画ストリームは、そのファイルシステム上で時系列データファイルとして管理される。なお、動画ストリームは、時系列データとも呼ばれる。
【００６８】
次に、ビデオカメラ１の再生機能に関連する構成要素を説明する。
【００６９】
再生制御部１１５は、ユーザから指示された動画ストリームの時系列データファイルの読み出しを指示する。再生部１１６は、ピックアップ１３０を動作させて、再生制御部１１５から指示された時系列データファイルを光学的に読み出して、動画ストリームとして取得する。動画ストリーム復号部１１２は、動画ストリームから映像データおよび音声データをそれぞれ分離して復号化し、映像信号および音声信号を生成する。復号化された映像の解像度は、符号化時の解像度と同じまたはそれ以下である。映像信号出力部１１０は、例えば液晶表示装置（図示せず）であり、映像信号に基づいてピクチャを次々と切り替えることにより、映像を再生表示する。音声信号出力部１１１は、例えばスピーカであり、音声信号を音声として再生する。なお、ビデオカメラ１は、ＤＶＤ−ＲＡＭディスク１３１から再生した時系列データファイルを、ＩＥＥＥ１３９４規格等に準拠したデジタルインターフェース（図示せず）を経由して外部機器へ出力することもできる。
【００７０】
次に、ビデオカメラ１の記録処理を説明する。図７は、本実施形態によるビデオカメラ１の記録処理の手順を示す。なお、以下では、映像タイプ特定部１１９の判別部１０４は、判別結果が映画であるときには、１秒あたりの表示ピクチャ数（２４枚）を示す値を出力するとして説明する。まずステップＳ００１において、ビデオカメラ１は、時系列データ（動画ストリーム）を生成する。時系列データは、カメラ部１００およびマイク１０１が映像信号および音声信号を出力し、動画ストリーム生成部１０２がそれらを符号化することによって生成される。
【００７１】
ステップＳ００２において、映像タイプ特定部１１９の検出部１０３および判別部１０４は、カメラ部１００から出力された映像信号に基づいて、被写体の１秒あたりの映像のピクチャ数（コマ数）を判別する。
【００７２】
ステップＳ００３において、制御部１０５は、映像のコマ数が毎秒２４コマであるか否かを判定する。コマ数が毎秒２４コマではないときには、処理はステップＳ００４に進み、毎秒２４コマであるとき処理はステップＳ００５に進む。
【００７３】
ステップＳ００４において、制御部１０５は動画ストリームの書き込みを許可する。その許可を受けて、記録部１０６は動画ストリームをＤＶＤ−ＲＡＭディスク１３１に書き込む。一方、ステップＳ００５では、制御部１０５は撮影対象が映画であると判断して、動画ストリームの書き込みを禁止する。その結果、記録部１０６は書き込みを中止する。ステップＳ００４またはステップＳ００５の後、処理は終了する。
【００７４】
なお、撮影対象を映画以外の被写体（例えば図５に関連して説明した人や風景等）にすると、被写体の動きにほとんど変化がない場合も考えられる。このような状況では、第１メモリ１０３１および第２メモリ１０３２に実質的に同じ画像データが入力されるため、比較器１０３３の比較結果は「一致」が繰り返されることになる。そこで判別器１０４は、比較結果が図７に示すような周期Ｄのパターンを繰り返すときには映像が毎秒２４コマであると判断し、それ以外のとき、すなわち「不一致」が連続し、「一致」が連続し、または「不一致」と「一致」とが上述の周期Ｄのパターンとは異なるパターン（不特定のパターン）で現れるときには、毎秒２４コマの映像ではないと判断してもよい。
【００７５】
（実施形態２）
実施形態１によるビデオカメラは、撮影対象が毎秒２４ピクチャの映像であるときは、その映像の動画ストリームの記録を禁止した。
【００７６】
本実施形態によるビデオカメラは、撮影対象が毎秒２４ピクチャの映像であるときは、その映像の映像品質を落として動画ストリームを記録する。
【００７７】
図８は、本実施形態によるビデオカメラ２の機能ブロックの構成を示す。ビデオカメラ２とビデオカメラ１（図１）とに共通する構成要素には共通の参照符号を付している。以下で特に言及がないときには、ビデオカメラ２の構成要素の機能および動作は、同じ図１に記載された同じ符号が付加された構成要素の機能および動作であるとする。
【００７８】
ビデオカメラ２は、映像タイプ特定部１１９の出力を受け取り、その出力に基づいて映像の解像度を調整する解像度調整部１０７を備えている。解像度調整部１０７は、映像タイプ特定部１１９によって特定された映像のタイプが映画であるときには、ユーザによって撮影時に設定されている解像度よりも低い解像度を選択し、映画でないときには、撮影時に設定されている解像度をそのまま選択して解像度を維持する。例えばユーザによってＮＴＳＣ方式の１０８０ｉ映像の品質（ＨＤ画質）で記録を行うように設定されており、かつ、映像のピクチャ数が毎秒２４枚であることが特定されたときには、解像度調整部１０７は、ＮＴＳＣ方式の４８０ｉ（ＳＤ品質）で記録するように解像度を選択する。解像度調整部１０７は、選択した解像度を動画ストリーム生成部２０２に通知する。
【００７９】
図９は、動画ストリーム生成部２０２の機能ブロックの構成を示す。動画ストリーム生成部２０２は、図５に示す動画ストリーム生成部１０２に解像度設定部１３０９の構成を付加して構成されている。解像度設定部１３０９は、入力端子１３０１とＭＰＥＧ−Ｖｉｄｅｏ符号化部１３０３との間に設けられている。解像度設定部１３０９は、解像度調整部１０７から指示された解像度に対応する符号化パラメータを設定する。ＭＰＥＧ−Ｖｉｄｅｏ符号化部１３０３は、そのパラメータを利用して映像を符号化する。
【００８０】
動画ストリームが生成されると、記録部１０６は、その動画ストリームをＤＶＤ−ＲＡＭディスク１３１に書き込む。なお本実施形態においては、制御部１０５は記録部１０６に対して動画ストリームの記録を許可し、禁止はしない。
【００８１】
図１０は、本実施形態によるビデオカメラ２の記録処理の手順を示す。ステップＳ０１１の処理は、図７のステップＳ００２の処理と同じである。すなわち映像タイプ特定部１１９は、実施形態１において説明した動作原理によって、被写体の１秒あたりの映像のピクチャ数（コマ数）を判別する。
【００８２】
ステップＳ０１２において、解像度調整部１０７は映像のコマ数が毎秒２４コマであるか否かを判定する。コマ数が毎秒２４コマではないときには、処理はステップＳ０１３に進み、毎秒２４コマであるとき処理はステップＳ０１４に進む。ステップＳ０１３では、解像度調整部１０７は、ユーザによって設定されている解像度よりも低い解像度を選択する。
【００８３】
ステップＳ０１４では、動画ストリーム生成部２０２は選択された解像度で符号化処理を行い時系列データ（動画ストリーム）を生成する。なお、ステップＳ０１２から分岐したときには、ユーザによって設定された解像度が採用される。制御部１０５は動画ストリームの書き込みを許可し、その許可を受けて、記録部１０６はピックアップ１３０経由で動画ストリームの時系列データファイルをＤＶＤ−ＲＡＭディスク１３１に書き込む。
【００８４】
以上の処理により、撮影対象が映画の映像であるときには、ビデオカメラ２は映像品質を落として動画ストリームを記録することにより、映画の著作権保護を図ることができる。
【００８５】
なお、上記説明では、毎秒のピクチャ数（コマ数）に基づいて撮影対象が映画であると判断したとき、解像度調整部１０７は符号化（エンコード）時の解像度を低下させるとした。解像度調整部１０７は、上述の表１に記載された範囲から解像度を任意に選択し得る。しかし映像規格に準拠する範囲であれば任意の解像度の採用を決定してもよい。動画ストリームは、符号化時の解像度に従って再生される。
【００８６】
解像度の低下の他には、映像信号にメッセージを重畳させて記録する、映像をモザイク化して記録する、フレームレート（毎秒のピクチャ数）を下げて記録する（例えば毎秒５ピクチャ）、黒画面を記録する等によって、その後の流通時に著作権侵害を喚起することができ、また撮影対象への忠実性を低下させて著作権保護を図ることができる。
【００８７】
（実施形態３）
本実施形態によるビデオカメラは、撮影対象の映像のタイプを特定して符号化時の解像度を設定し、映像の解像度を下げて符号化したときには、そのことを示す情報（判別情報）を生成し、記録媒体に動画ストリームと合わせて記録する。
【００８８】
図１１は、本実施形態によるビデオカメラ３の機能ブロックの構成を示す。ビデオカメラ３は、実施形態２によるビデオカメラ２に対して、ビデオカメラ３が、管理情報生成部１０８と、管理ファイル生成部１０９と、管理情報メモリ１２０と、判別情報抽出部１２１と、重畳処理部１２２とを新たに付加して構成されている。その他の構成要素は同じである。また、ＤＶＤ−ＲＡＭディスク１３１には、管理情報を格納する管理情報領域１３２と、動画ストリームを格納するＡＶデータ領域１３３とがそれぞれ規定される。以下では、上述の相違点に関連して、ビデオカメラ３を説明する。
【００８９】
まず管理情報生成部１０８は、動画ストリーム生成部２０２が撮影時に設定されている解像度よりも低い解像度で映像信号を符号化したときには、そのことを示す判別情報を生成する。判別情報の詳細は図１８を参照しながら後述する。
【００９０】
管理ファイル生成部１０９は、管理情報生成部１０８が作成した判別情報を含む管理ファイルを作成する。
【００９１】
ここで図１２を参照しながら管理ファイルを説明する。本実施形態においては、管理ファイルは公知のＭＰ４ファイルフォーマットに従ったデータ構造を有するとして説明する。そのデータ構造を利用して格納されるデータのうち、本実施形態に特有のデータの説明は後述する。
【００９２】
図１２は、本実施形態による時系列データファイル１２と管理ファイル１４との関係を示す。管理ファイル１４は管理情報を格納しており、そのファイル名は“ＭＯＶ００１．ＭＰ４”である。一方、時系列データファイル１２は動画ストリームを格納しており、そのファイル名は“ＭＯＶ００１．ＭＰＧ”である。なお、本実施形態では、動画ストリームはＭＰＥＧ−２プログラムストリームとする。
【００９３】
管理情報には、時系列データファイル１２に格納された動画ストリームの映像に関し、再生を管理するための情報が格納されている。管理情報では、映像に関する情報は、「ビデオトラック」と呼ばれる単位で管理される。ビデオトラックには、アクセス単位ごとの位置情報（アクセス情報）や、エンコード情報を含んでいる。本実施形態では、上述の判別情報はエンコード情報の一部を構成しており、管理情報内に格納されている。これらの情報は動画ストリームの記録時に生成され、動画ストリーム再生時のランダムアクセスに用いる。また、管理情報内には、対応する動画ストリームを特定するリンク情報を含んでいる。リンク情報は、例えば対応する動画ストリームを格納した時系列データファイルのファイル名（“ＭＯＶ００１．ＭＰＧ”）である。
【００９４】
図１３は、光ディスク１３１に記録される時系列データファイル１２および管理ファイル１４のデータ構造を示す。時系列データファイル１２は動画ストリーム１１を含み、管理ファイル１４は管理情報１３を含む。時系列データファイル１２は光ディスク１３１のＡＶデータ領域１３３に書き込まれ、管理ファイル１４は光ディスク１３１の管理情報領域１３２に書き込まれる。
【００９５】
動画ストリーム１１は、複数のサンプル（P2Sample）１５を含む。サンプル１５は、映像データおよび音声データが混在して構成されている。サンプル１５は、映像の再生時間、データの大きさ（データ量）等に基づいて定めることが可能であり、例えばＤＶＤのビデオオブジェクトユニット（ＶＯＢＵ）のような、映像の再生時間にして０．４秒から１秒程度の映像データを含む。サンプル１５の１以上の集合をチャンク（chunk）１６という。図１４は、動画ストリーム１１のより詳細なデータ構造を示す。各サンプル１５は、複数の映像パック（Ｖ＿ＰＫ）および音声パック（Ａ＿ＰＫ）を含む。各パックは、パックヘッダおよび映像または音声用のデータを格納したＰＥＳパケットから構成されており、そのデータ量は一定（２０４８バイト）である。図１４に示すような動画ストリームに対しては、ビデオデータとオーディオデータとをまとめて動画ストリームトラックとし、１つのトラックで一括して管理してもよい。
【００９６】
再び図１３を参照する。管理情報１３は、サンプル単位のアクセス情報２０およびエンコード情報１９を含む。これらの情報は、アトム構造体と呼ばれるデータ構造を利用して管理されており、具体的にはムービーアトム（Movie atom）１７のサンプルテーブルアトム（sample Table ATOM）１８内に記述される。サンプルは、サンプルテーブルアトム（Sample Description Atom）１８における最小管理単位として管理されており、各サンプルに対してデータ格納位置等を示すアクセス情報２０が記述される。エンコード情報１９はサンプル単位またはチャンク単位で規定され、各単位内の映像データに対して共通に適用される。なお、サンプル１５およびチャンク１６は管理情報１３によって管理される動画ストリーム１１の単位であって、動画ストリーム１１のデータが常に物理的に区分されて規定されているわけではない。
【００９７】
次に、管理情報１３においてどのような基準でサンプル１５およびチャンク１６が規定されるかを説明する。例えば、映像の再生時間にして０．４秒から１秒程度の映像データおよび音声データが１つのサンプル（P2Sample）１５とされるとする。各サンプルのアクセス情報は管理情報１３に記述される。そして、ある一連の映像に対して共通して適用される解像度が決定されると、それらの映像に対応する区間が１つのチャンク１６として取り扱われ、各チャンク内のサンプルに共通のエンコード情報１９が規定される。「ある一連の映像」の例は、ビデオカメラによって撮影された、録画開始から録画終了までの連続的な映像である。管理情報１３には、各チャンクに対するアクセス情報を設定することもできる。なお、解像度が共通する一連の映像の区間をチャンクが規定される基準として説明したが、本発明には特に関連しない他の基準によってチャンクが規定されることもある。
【００９８】
動画ストリーム生成部２０２および管理情報生成部１０８は、上述したデータ構造および基準に基づいて動画ストリーム１１および管理情報１３を生成する。
【００９９】
図１５は、図１４に対応する動画ファイル（MPEG2-PS）の管理情報１３のアトム構造を示す。管理情報１３は、ムービーアトム１７において規定される。ムービーアトム１７には、符号化された映像データおよび音声データの各々について、独立してフレーム単位のデータサイズ、データの格納先アドレス、再生タイミングを示すタイムスタンプ等の情報が記述されている。映像データに対してはトラックアトム３０４が規定される。トラックアトム３０４内の種々のアトム３０５、３０６、３０７等のうち、本明細書ではメディアアトム３０７内のサンプルテーブルアトム１８を説明する。メディアアトム３０７は、符号化ストリームに関する情報を格納するフィールドである。なお、音声データに対しては、例えばトラックアトム３１７が規定される。
【０１００】
サンプルテーブルアトム１８は、さらに複数のアトムフィールド３１１〜３１６を有する。このうち、サンプル記述アトム３１１、サンプルサイズアトム３１２、デコーディングタイムツーサンプルアトム３１３、サンプルツーチャンクアトム３１４、チャンクオフセットアトム３１５に着目する。
【０１０１】
サンプル記述アトム３１１には、そのサンプル内の映像に対して適用されるエンコード情報が規定されている。サンプルサイズアトム３１２には、そのサンプルのデータサイズが規定されている。デコーディングタイムツーサンプルアトム３１３には、そのサンプルの映像再生時間が規定されている。サンプルツーチャンクアトム３１４には、１チャンクに含まれるサンプルの数が規定されている。チャンクオフセットアトム３１５には、例えば時系列データファイルの先頭から計算した各チャンクの先頭位置（オフセット）が規定されている。なお、各アトム３１２〜３１５に記載されている”#0”は、第０番目のサンプルまたはチャンクに対するデータであることを示しており、図示されていない第１番目、第２番目のデータが後に続く。
【０１０２】
図１６は、動画ファイル内のストリームのデータ単位およびチャンク（ｃｈｕｎｋ）構造と、動画ファイルに対応する管理ファイル中のアトム（サンプルテーブルアトム）１８を示す。サンプルテーブルアトム１８中の各アトム３１２〜３１５内のフィールドは、動画ファイル内のストリームのデータ単位およびチャンク（ｃｈｕｎｋ）構造に示す同名の区間に対応するデータサイズ、再生時間等を規定している。例えば、サンプルサイズアトム３１２内に示された"samples size#0"は、時系列データファイル１２の最初（０番目）に配置されたＰ２サンプル（P2sample#0）のデータサイズを規定する。図１６に示されるように、管理ファイルのサンプルテーブルアトム）１８において、時系列データ１２を構成するデータの各サンプル、チャンク等が規定される。
【０１０３】
図１７は、サンプルテーブルアトム１８のサンプル記述アトム３１１のアトム構造をより詳細に示している。サンプル記述アトム３１１は１以上のサンプル記述エントリ５１５を含む。サンプル記述エントリ５１５は、各チャンクに対して設けられる。さらにサンプル記述エントリ５１５はエンコード情報５１８を含み、エンコード情報５１８の一部として、解像度を下げて映像を符号化したか否かを示す判別情報（judgement_information）が記述される。
【０１０４】
図１８は、エンコード情報５１８のデータ構造を示す。エンコード情報は８ビットで規定される。８ビットのうち、下位２ビット（Ｂ０〜Ｂ１：judgement_information）において判別情報が規定される。上位６ビットは予約ビットである。判別情報は、２ビットを利用して少なくとも４種類の情報を規定する。具体的には、撮影時に設定されている解像度を基準として、“００”はその解像度で映像が符号化されたことを表し、“０１”はその解像度よりも低い解像度で映像が符号化されたことを表す。さらに本実施形態では“１０”はその解像度よりも高い解像度で映像が符号化されたことを表すとして規定する。なお“１１”の意味は未定義である。
【０１０５】
図１９は、各判別情報が適用される範囲を示し、各判別情報が記述されるサンプル記述エントリ＃０〜＃３を示す。図１８に示すように、判別情報＃ｎ（ｎ：整数）はチャンク＃ｎに対して適用されるので、判別情報＃ｎはチャンク＃ｎ内の映像に共通して適用される。
【０１０６】
図２０は、本実施形態によるビデオカメラ３の記録処理の手順を示す。ステップＳ１０１、Ｓ１０２、Ｓ１０３の処理は、図１０のステップＳ０１１、Ｓ０１２、Ｓ０１３の処理と同じである。
【０１０７】
ステップＳ１０４では、動画ストリーム生成部２０２は選択された解像度で符号化処理を行い時系列データ（動画ストリーム）を生成する。そして管理情報生成部１０８は、判別情報を生成する。より具体的には、ステップＳ１０２から分岐したときには、動画ストリーム生成部２０２はユーザによって設定された解像度で映像を符号化し、管理情報生成部１０８はその処理に対応する判別情報（“００”）を生成する。一方、ステップＳ１０３の処理を行ったときには、動画ストリーム生成部２０２は、解像度調整部１０７から指示された、より低い解像度によって映像を符号化し、管理情報生成部１０８はその処理に対応する判別情報（“０１”）を生成する。なお、管理情報生成部１０８が判別情報を生成すると、管理ファイル生成部１０９は、その判別情報を含むエンコード情報等の管理情報を生成する。
【０１０８】
ステップＳ１０５では、制御部１０５からの動画ストリームの書き込み許可を受けて、記録部１０６はピックアップ１３０経由で動画ストリームの時系列データファイルをＤＶＤ−ＲＡＭディスク１３１のＡＶデータ領域１３３に書き込む。また、記録部１０６は、管理ファイルをＤＶＤ−ＲＡＭディスク１３１の管理情報領域１３２に書き込む。
【０１０９】
以上の処理により、撮影対象が映画の映像であるときには、ビデオカメラ３は映像品質を落として動画ストリームを記録することにより、映画の著作権保護を図ることができる。
【０１１０】
次に、ビデオカメラ３がＤＶＤ−ＲＡＭディスク１３１から動画ストリームを読み出して映像を再生する処理を説明する。
【０１１１】
図２１は、本実施形態によるビデオカメラ３の再生処理の手順を示す。この処理は、ユーザが再生の対象となる映像を特定して、再生の開始を指示することにより実行される。まず、ステップＳ２０１において、再生制御部１１５が、再生の対象となる映像の時系列データファイル、および、対応する管理ファイルの読み出しを指示すると、再生部１１６はピックアップ１３０を介してＤＶＤ−ＲＡＭディスク１３１から時系列データファイルおよび管理ファイルを読み出す。管理情報メモリ１２０は管理ファイルを格納する。
【０１１２】
ステップＳ２０２において、判別情報抽出部１２１は管理情報メモリ１２０に格納された管理ファイルを解析して、判別情報を抽出する。
【０１１３】
ステップＳ２０３では、動画ストリーム復号部１１２は、動画ファイルの動画ストリームを復号（デコード）処理して映像信号と音声信号とを取得する。映像信号および音声信号は、それぞれ重畳処理部１２２および音声信号出力部１１１へ出力される。
【０１１４】
ステップＳ２０４では、判別情報抽出部１２１は、判別情報に基づいて、符号化時に解像度を下げて記録した映像であるかを判別する。例えば、判別情報として“０１”が設定されているときは、解像度を下げて符号化していることを意味する。ステップＳ２０５においては、判別情報抽出部１２１は「解像度を下げて記録した映像」であるか否かを表示するデータ（表示データ）を作成する。表示データは、解像度を下げて符号化した映像であること等が明確になるように、例えば文字のデータが用いられる。
【０１１５】
ステップＳ２０６では、重畳処理部１２２は、表示データを再生対象の映像信号に重畳する。表示データが重畳された映像信号は、映像信号出力部１１０から出力される。
【０１１６】
図２２は、ＴＶモニタにおける第１の再生表示例を示す。重畳された表示データは、画面右上の領域２２０に表示されている。表示データは、
記録日時    ：  １／１（木）  １０：１０〜１０：１９
映像ソース  ：  カメラ
記録情報    ：  ＳＤ（ＤＣ）
である。「記録情報」は記録時の解像度を示しており、「ＳＤ」は標準解像度を示し、「ＤＣ」は解像度を下げて記録したこと（ダウンコンバートしたこと）を示している。図２２では、撮影対象が毎秒２４コマの映像（映画）であったために、解像度を下げて記録したことを知らせている。
【０１１７】
図２３は、ＴＶモニタにおける第２の再生表示例を示す。画面右上の領域２２０には、解像度を下げることなく高解像度で映像が記録されたことを示す「ＨＤ」が示されている。図２４は、ＴＶモニタにおける第３の再生表示例を示す。画面右上の領域２２０には、標準解像度で映像が記録されたことを示す「ＳＤ」が示されている。図２４は当初から“標準解像度”で映像を記録したときの例である。よって、撮影対象が毎秒２４ピクチャではなくビデオカメラ３は映像品質を落として映像を符号化していないため、“ＤＣ”は表示されない。
【０１１８】
上記のように、本実施形態では、ビデオカメラ３が映画等を撮影対象としたか否かを検出し、著作権を有する映画等であると判断した場合、エンコード時の解像度を低下させて記録する。ビデオカメラ３は解像度を下げて映像を符号化したか否かを示す判別情報を管理情報として保持し、再生時に判別情報に基づいて表示を行う。ビデオカメラ３は、撮影当初“高解像度”による符号化が設定されているか否かに係わらず、“標準解像度”で記録したことをユーザーに通知できる。よってユーザは、通知に基づいて誤って映画などの著作物を撮影したことを認識することができ、機器の故障との間違いを解消できる。
【０１１９】
なお、判別情報は、図１７に記載されたサンプル記述エントリ５１５にチャンク毎に格納するとして説明した。しかし、トラックヘッダーアトム（Track  Header  Atom）５０６（図１７）に格納することもできる。これにより、動画ファイルに解像度を下げて記録した部分が存在することを示すことができる。また、チャンク毎にデータフィールドを定義する必要がないので、データサイズの削減が可能である。そして、図１７等に記載されたデータ構造に限定されることもない。なお、撮影対象が映画等と判断し解像度を低下させて記録した部分を再生する場合に、全画面にメッセージを重畳させて表示する（説明では右上に表示）、再生映像に特殊効果（モザイク、ウォーターマーク）を重畳して出力する、再生時に、コピー禁止情報（マクロビジョン信号、など）を重畳して出力する、等により、撮影対象への忠実性をさらに低下させることが可能である。
【０１２０】
また、判別情報に基づいて、解像度を下げて記録した映像か否かを映像再生中のＴＶ画面上に重畳させて表示するのではなく、ビデオカメラ３に判別情報を表示する表示出力部を設けてもよい。表示出力部は、蛍光表示管、ＬＥＤ（発光ダイオード）、ランプ（電球）等である。それらを駆動する駆動回路もまた、表示出力部に含めてもよい。表示出力部を備えることにより、映像再生時において映像の表示領域の一部を利用しなくてもよく、再生映像の見え難さを解消しつつ、必要な情報をユーザに提示できる。この変形例による処理は、図２１のステップＳ２０５およびＳ２０６における表示データの重畳処理に代えて、表示出力部を駆動させる処理を実行することとなる。なお、映像信号の出力および解像度の出力は、対応付けて行われる。
【０１２１】
（実施形態４）
実施形態３によるビデオカメラは、１つの動画ストリームについて判別情報を生成し、管理情報の一部としてＤＶＤ−ＲＡＭディスク１３１に格納するとして説明した。
【０１２２】
本実施形態によるビデオカメラは、複数の動画ストリームの各々について判別情報を生成し、各々の管理情報の一部としてＤＶＤ−ＲＡＭディスク１３１に格納する。そして、各動画ストリームに対応する管理情報を一元的に管理するコンテンツ管理ファイルを生成して、ＤＶＤ−ＲＡＭディスク１３１に格納する。なお、本実施形態では、実施形態３における「判別情報」に相当する情報を「コンテンツ判別情報」と称する。
【０１２３】
図２５は、本実施形態によるビデオカメラ４の機能ブロックの構成を示す。本実施形態によるビデオカメラ４が、実施形態３によるビデオカメラ３（図１１）と相違する点は、ビデオカメラ３の管理ファイル生成部１０９および判別情報抽出部１２１に代えて、コンテンツ管理ファイル生成部２０９およびコンテンツ判別情報抽出部２２１を設けたことにある。
【０１２４】
ただし、コンテンツ管理ファイル生成部２０９は管理ファイル生成部１０９の機能を有し、さらにコンテンツ管理ファイルを生成する機能を有する。また、コンテンツ判別情報抽出部２２１は、判別情報抽出部１２１と同等の機能を有し同等の処理を行う。よって、ビデオカメラ４は、映像の解像度を下げて符号化処理を行ったか否かを判別する情報を生成するとともに、その情報をユーザに通知するための機能を有している。
【０１２５】
図２６は、本実施形態によるビデオカメラ４の記録処理の手順を示す。ビデオカメラ４において実行される記録処理は、コンテンツ管理ファイルの作成または更新を除き、実施形態３によるビデオカメラ３の記録処理（図２０）と実質的に同様である。具体的には、ステップＳ３０１からステップＳ３０６までの処理のうち、ステップＳ３０５を除いては、図２０における処理と同じである。よって各処理の説明は省略する。「判別情報」を「コンテンツ判別情報」と読み替えればよい。
【０１２６】
以下、図２７を参照しながら、コンテンツ管理ファイルのデータ構造を説明する。なお、本実施形態では、対応する管理ファイルおよび時系列データファイル（動画ファイル）との組を「コンテンツ」と称する。
【０１２７】
図２７は、コンテンツ管理ファイル２７０のデータ構造を示す。コンテンツ管理ファイル２７０は、コンテンツ（動画ファイル、静止画ファイル）毎にエントリを有し、ＤＶＤ−ＲＡＭディスク１３１に記録された動画ファイルとその管理ファイルを一元管理する。例えば、コンテンツ［Ａ］となる動画ファイル［Ａ］と管理ファイル［Ａ］にはエントリ［Ａ］２７０ａが割り当てられる。コンテンツ［Ｂ］も同様にエントリ［Ｂ］２７０ｂが割り当てられる。
【０１２８】
各エントリには、対応するコンテンツに関する属性情報が規定される。属性情報は、例えば記録日時、撮影ソース、ファイルサイズ、リンク情報、符号化処理に関する情報（エンコード情報）等を含む。記録日時は撮影した日付、開始／終了時刻である。撮影ソースは、ビデオカメラ４による撮影であることを示す「カメラ」、ＤＶＤレコーダ等によりテレビ放送番組を録画したときにはチャンネル番号が記述される。エンコード情報は、実施形態１で説明したと同様であり、判別情報に対応する“コンテンツ判別情報”を含んでいる。さらにエンコード情報は“ 記録モード”、“符号化レート”、および“解像度”などに関する情報を含んでいてもよい。
【０１２９】
コンテンツ判別情報は、実施形態３における判別情報と同様、コンテンツ判別情報が“００”のときは、撮影時に設定された解像度で符号化処理を行い、“０１”のときは解像度を下げて符号化処理を行う。また、コンテンツ判別情報が“１０”のときは解像度を上げて符号化処理を行う。なお“１１”の意味は未定義である。
【０１３０】
コンテンツ管理ファイル生成部２０９は、図２７に示すコンテンツ管理ファイルを生成する。例えばコンテンツ管理ファイル生成部２０９は、実施の形態３で説明した管理情報１３（図１７）のエンコード情報５１８に格納されたコンテンツ判別情報をコピーしてコンテンツ管理ファイル内に格納することができる。これにより、管理ファイルとデータを共通化できるというメリットがある。
【０１３１】
ビデオカメラ４が、ＤＶＤ−ＲＡＭディスク１３１に種々のファイルを書き込んだ後、そのＤＶＤ−ＲＡＭディスク１３１から映像を再生する再生処理の内容も、実施形態３によるビデオカメラ３の再生処理（図２１）と同様であり、その説明は本実施形態においても適用される。
【０１３２】
本実施形態ではさらに、コンテンツ管理ファイルを利用して、ＤＶＤ−ＲＡＭディスク１３１に記録されたコンテンツの内容を確認するためのコンテンツの一覧を表示することができる。図２８は、コンテンツ管理ファイルに基づいて表示されたコンテンツの一覧表示画面の例を示す。
【０１３３】
上述のように、コンテンツ管理ファイルには記録日時、撮影ソース、エンコード情報等が格納されている。コンテンツ判別情報抽出部２２１はこれらの情報から、例えばエンコード情報を抽出して、各コンテンツとその解像度とを対応して表示するための一覧データを生成する。一覧データは、図２８に示す表形式で対応関係を表示するためのデータである。
【０１３４】
ここで、図２８の“情報”の項は記録時の解像度が示されている解像度情報表示欄である。この欄には、高解像度の記録を示す「ＨＤ」、標準解像度の記録を示す「ＳＤ」、解像度を下げて標準解像度で記録したことを示す「ＳＤ（ＤＣ）」等によって、記述されている。例えば、コンテンツ判別情報抽出部２２１は、コンテンツ判別情報の値が“００”であることと符号化レートとによって、「ＨＤ」または「ＳＤ」を特定する。また、コンテンツ判別情報の値が“０１”であるときは「ＳＤ（ＤＣ）」と判断する。
【０１３５】
本実施形態においては、ビデオカメラ４は、実施形態３のビデオカメラ３と同じ効果を得られる他、さらに解像度を下げて記録したか等を示す判別情報をコンテンツ管理ファイルに格納し、必要に応じて表示している。コンテンツ毎の管理ファイルしか存在しないときには、一覧表示時には各管理ファイルにアクセスし、解析する必要があり表示に時間を要するが、コンテンツ管理ファイルに格納することで表示の高速化に貢献することができる。
【０１３６】
なお、コンテンツ管理ファイルの各エントリにはさらに以下の情報を格納してもよい。例えば毎秒２４ピクチャで変化する撮影対象を記録したコンテンツであることを示す情報、撮影被写体の映像変化周期（フレームレートともいう）を示す情報、ストリーム中に２４ピクチャを３０ピクチャにして記録することにより発生する、重複するフィールド／フレームの有無を示す情報、である。これらの情報をさらに格納することにより、より撮影対象に関する情報をユーザに知らしめることが可能になる。
【０１３７】
上述の各実施形態では、ビデオカメラを利用して撮影する構成および処理を説明した。しかし、ストリーミングなどの、電気通信回線や無線回線を通じて伝送される映像信号についても、本発明は同様にかつ容易に適用することができる。このときは、データ処理装置のイーサネット端子等が、ビデオカメラのカメラ部１００に代えて映像信号を取得する。また実施形態３および４において説明した管理情報のデータ構造は例であり、これに限定されることはない。また、本発明の実施の形態では、映像ピクチャ数の検出にフィールドメモリ１０３１および１０３２を用いる例を挙げて説明したが、フレームメモリ等を用いてもよい。
【０１３８】
さらに、本発明の実施の形態では検出する映像のタイプを毎秒２４枚のピクチャで表示される映画として説明したが、これは例である。検出する映像のタイプに応じた検出ピクチャ数は任意に設定できる。また、検出に際して一定の閾値時間を設定し、特定パターンが閾値時間以上連続して検出されたときに、検出ピクチャ数に該当したと判断してもよい。これにより、信頼性の向上を図ることが可能である。
【０１３９】
さらに本発明は、撮影映像が映画等の映像であるか否かの判断を、撮影映像の内容を解析することにより行うこともできる。
【０１４０】
ＣＣＤ（Ｃｈａｒｇｅ  Ｃｏｕｐｌｅｄ  Ｄｅｖｉｃｅｓ：電荷結合素子）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの受光素子をカメラ部の撮像素子に適用した場合、有効画素数（撮像素子のうち、実際に撮影に使用される素子の数）は総画素数（撮像素子の総数）より少ない。図２９は、撮像素子２９０に関する全画素の範囲２９１と、有効画素の範囲２９２との関係を示す。図２９において、総画素数に対応する範囲は斜線部、有効画素数に対応する範囲は空白部である。
【０１４１】
図３０は、スクリーンに投射された映画を、撮像素子２９０を利用して撮影したときの模式図である。上映中の映画を撮影する場合、通常、スクリーン部分は有効画素の範囲２９２内に収まる様に撮影すると考えられる。有効画素の範囲２９２の外はスクリーンの周辺を撮影することになる。スクリーン部は映写機からの投光（映画の映像）を反射するため比較的明るいのに対し、その外部はスクリーンを際だたせるためスクリーン部と比較して一般には極めて暗い。よって、有効画素範囲の内外で撮像素子が検出する明るさに大きな違いが生じる。その差異を用いて撮影対象がスクリーンであるかどうかを検出することができる。
【０１４２】
さらに、撮像素子の横縦比（アスペクト比、４対３など）と、撮影時の有効画素範囲のアスペクト比（横縦が４対３、または１６対９など）、更に以下のような映画のアスペクト比を踏まえることで、撮像素子に入射する光の明暗部分を判別することが可能であり、さらに精度良く検出することが可能である。すなわちスタンダードサイズは１．３３対１、ヨーロッパ規格のビスタサイズは１．６６対１、アメリカ規格のビスタサイズは１．８５対１、シネスコサイズは１．８５対１である。
【０１４３】
このような手法で、撮影された映像の内容を解析することにより、撮影映像が映画等の映像であるか否かを判別することができる。また、毎秒のピクチャ数が２４枚であるかどうかの検出と合わせて判断すると、より精度よく撮影対象を確定する事ができる。
【０１４４】
本発明の実施の形態では、ＤＶＤ−ＲＡＭ等の光ディスクに記録するものとして説明を行ったが、半導体メモリ等の不揮発性記憶素子、ハードディスク等の磁気記録媒体等に記録してもよい。また、記録するデータストリームとしてＭＰＥＧ２映像ストリームを例に挙げて説明したが、他にＭＰＥＧ４映像ストリームをはじめ、他の映像ストリームを利用することもできる。
【０１４５】
ビデオカメラに代表されるデータ処理装置の記録機能および再生機能は、そのような機能を実現するコンピュータプログラムに基づいて動作する。コンピュータプログラムは、ＣＤ−ＲＯＭ等の記録媒体に記録して市場に流通させ、または、インターネット等の電気通信回線を通じて伝送することにより、例えば、コンピュータシステムを記録装置および／または再生装置として動作させることができる。
【産業上の利用可能性】
【０１４６】
本発明によれば、カメラにより撮影した対象が映画等のフィルム映像であるか否かを検出して、フィルム映像に該当する場合は記録を中止し、または解像度等の映像品質を十分低下させて記録する。これにより、コンテンツの著作権者の権利侵害を防ぎ、コンテンツを保護することができる。
【図面の簡単な説明】
【０１４７】
【図１】本実施形態によるビデオカメラ１の機能ブロックの構成を示す示す図である。
【図２】動画ストリーム生成部１０２の機能ブロックの構成を示す図である。
【図３】映像タイプ特定部１１９の機能ブロックの構成を示す図である。
【図４】検出部１０３の各機能ブロックの動作タイミングの例を示す図である。
【図５】ビデオカメラ１で人物、風景などが撮影されたときのビデオカメラ１内の処理を示す図である。
【図６】主としてビデオカメラ１でスクリーンに投影された映画が撮影されたときのビデオカメラ１内の処理を示す図である。
【図７】実施形態１によるビデオカメラ１の記録処理の手順をフローチャートである。
【図８】実施形態２によるビデオカメラ２の機能ブロックの構成を示す図である。
【図９】動画ストリーム生成部２０２の機能ブロックの構成を示す図である。
【図１０】実施形態２によるビデオカメラ２の記録処理の手順を示すフローチャートである。
【図１１】実施形態３によるビデオカメラ３の機能ブロックの構成を示す図である。
【図１２】実施形態３による時系列データファイル１２と管理ファイル１４との関係を示す図である。
【図１３】光ディスク１３１に記録される時系列データファイル１２および管理ファイル１４のデータ構造を示す図である。
【図１４】動画ストリーム１１のより詳細なデータ構造を示す図である。
【図１５】管理情報１３のアトム構造を示す図である。
【図１６】動画ファイル内のストリームのデータ単位およびチャンク（ｃｈｕｎｋ）構造と、動画ファイルに対応する管理ファイル中のアトム（サンプルテーブルアトム）１８を示す図である。
【図１７】サンプルテーブルアトム１８のサンプル記述アトム３１１のアトム構造をより詳細に示す図である。
【図１８】エンコード情報５１８のデータ構造を示す図である。
【図１９】各判別情報が適用される範囲を示す図である。
【図２０】実施形態３によるビデオカメラ３の記録処理の手順を示すフローチャートである。
【図２１】実施形態３によるビデオカメラ３の再生処理の手順を示すフローチャートである。
【図２２】ＴＶモニタにおける第１の再生表示例を示す図である。
【図２３】ＴＶモニタにおける第２の再生表示例を示す図である。
【図２４】ＴＶモニタにおける第３の再生表示例を示す図である。
【図２５】実施形態４によるビデオカメラ４の機能ブロックの構成を示す図である。
【図２６】実施形態４によるビデオカメラ４の記録処理の手順を示すフローチャートである。
【図２７】コンテンツ管理ファイル２７０のデータ構造を示す図である。
【図２８】コンテンツ管理ファイルに基づいて表示されたコンテンツの一覧表示画面の例を示す図である。
【図２９】撮像素子２９０に関する全画素の範囲２９１と、有効画素の範囲２９２との関係を示す図である。
【図３０】スクリーンに投射された映画を、撮像素子２９０を利用して撮影したときの模式図である。
【図３１】２−３プルダウン方式を用いたテレシネ変換の例を示す図である。
【図３２】従来の記録再生装置３２０の機能ブロックの構成を示す図である。
【符号の説明】
【０１４８】
１、２、３、４  ビデオカメラ
１００  カメラ部
１０１  マイク
１０２  動画ストリーム生成部
１０３  検出部
１０４  判別部
１０５  制御部
１０６  記録部
１１０  映像信号出力部
１１１  音声信号出力部
１１２  動画ストリーム復号部
１１５  再生制御部
１１６  再生部
１１９  ピクチャ数特定部
１３０  ピックアップ
１３１  ＤＶＤ−ＲＡＭディスク
【図１】
2005303977.tif 000005
【図２】
2005303977.tif 000006
【図３】
2005303977.tif 000007
【図４】
2005303977.tif 000008
【図５】
2005303977.tif 000009
【図６】
2005303977.tif 000010
【図７】
2005303977.tif 000011
【図８】
2005303977.tif 000012
【図９】
2005303977.tif 000013
【図１０】
2005303977.tif 000014
【図１１】
2005303977.tif 000015
【図１２】
2005303977.tif 000016
【図１３】
2005303977.tif 000017
【図１４】
2005303977.tif 000018
【図１５】
2005303977.tif 000019
【図１６】
2005303977.tif 000020
【図１７】
2005303977.tif 000021
【図１８】
2005303977.tif 000022
【図１９】
2005303977.tif 000023
【図２０】
2005303977.tif 000024
【図２１】
2005303977.tif 000025
【図２２】
2005303977.tif 000026
【図２３】
2005303977.tif 000027
【図２４】
2005303977.tif 000028
【図２５】
2005303977.tif 000029
【図２６】
2005303977.tif 000030
【図２７】
2005303977.tif 000031
【図２８】
2005303977.tif 000032
【図２９】
2005303977.tif 000033
【図３０】
2005303977.tif 000034
【図３１】
2005303977.tif 000035
【図３２】
2005303977.tif 000036